【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
セルブロードキャストメッセージを受信するための方法であって、
繰り返し数と周期性とスロット番号とを取得するために、連続走査時間の間、セルブロードキャストチャネルを監視することと、
前記セルブロードキャストチャネル中で所望のメッセージが予想されるスロットを計算することと、
前記計算されたスロットのみにおいて前記セルブロードキャストチャネルを読み取ることと
を備える方法。
【請求項２】
前記方法がワイヤレス通信デバイスによって実行される、請求項１に記載の方法。
【請求項３】
前記繰り返しと前記周期性と最後のスロット番号とは、所望のメッセージが予想されるスロットを計算するために使用される、請求項１に記載の方法。
【請求項４】
いずれかの所望のメッセージについて予測スケジューリングが機能しなかった場合、セルブロードキャスト連続走査プロシージャを実行することをさらに備える、請求項１に記載の方法。
【請求項５】
前記計算されたスロットのみにおいて前記セルブロードキャストチャネルを読み取ることが、セルブロードキャスト予測走査プロシージャの一部である、請求項１に記載の方法。
【請求項６】
前記セルブロードキャスト予測走査プロシージャ中にリフレッシュタイマーが満了した場合、セルブロードキャスト連続走査プロシージャを実行することをさらに備える、請求項５に記載の方法。
【請求項７】
前記方法が、セルブロードキャストスケジューリング機構をサポートしないネットワーク中で実行される、請求項１に記載の方法。
【請求項８】
セルブロードキャストチャネルを監視することは、
連続走査タイマーを開始することと、
すべてのセルブロードキャストメッセージスロットを読み取ることと、
前のセルブロードキャストチャネルスロット以降、メッセージＩＤと更新数とが変化したかどうかを判断することと
を備える、請求項７に記載の方法。
【請求項９】
前記前のセルブロードキャストメッセージスロット以降、前記メッセージＩＤと前記更新数とのうちの少なくとも１つが変化しており、前記メッセージＩＤに対する前記繰り返し数を増分することをさらに備える、請求項８に記載の方法。
【請求項１０】
前記連続走査タイマーが満了したとき、前記メッセージＩＤと、セルＩＤと、前記繰り返し数と、最後のメッセージスロット番号と、計算された周期性とを記憶することをさらに備える、請求項９に記載の方法。
【請求項１１】
前記メッセージＩＤと、前記セルＩＤと、前記繰り返し数と、最後のメッセージスロット番号と、前記計算された周期性とは、所望のメッセージが予想されるスロットを計算するために使用される、請求項９に記載の方法。
【請求項１２】
セルブロードキャストメッセージを受信するための装置であって、
プロセッサと、
前記プロセッサと電子通信しているメモリと、
前記メモリに記憶された命令であって、前記命令は、
繰り返し数と周期性とスロット番号とを取得するために、連続走査時間の間、セルブロードキャストチャネルを監視することと、
前記セルブロードキャストチャネル中で所望のメッセージが予想されるメッセージスロットを計算することと、
前記計算されたメッセージスロットのみにおいて前記セルブロードキャストチャネルを読み取ることと
を行うように前記プロセッサによって実行可能である、命令と
を備える、装置。
【請求項１３】
前記装置がワイヤレス通信デバイスである、請求項１２に記載の装置。
【請求項１４】
前記繰り返しと前記周期性と最後のスロット番号とは、所望のメッセージが予想されるスロットを計算するために使用される、請求項１２に記載の装置。
【請求項１５】
前記命令は、いずれかの所望のメッセージについて予測スケジューリングが機能しなかった場合、セルブロードキャスト連続走査プロシージャを実行するようにさらに実行可能である、請求項１２に記載の装置。
【請求項１６】
前記計算されたスロットのみにおいて前記セルブロードキャストチャネルを読み取ることが、セルブロードキャスト予測走査プロシージャの一部である、請求項１２に記載の装置。
【請求項１７】
前記命令は、前記セルブロードキャスト予測走査プロシージャ中にリフレッシュタイマーが満了した場合、セルブロードキャスト連続走査プロシージャを実行するようにさらに実行可能である、請求項１６に記載の装置。
【請求項１８】
前記装置が、セルブロードキャストスケジューリング機構をサポートしないネットワーク中にある、請求項１２に記載の装置。
【請求項１９】
セルブロードキャストチャネルを監視するように実行可能な前記命令は、
連続走査タイマーを開始することと、
すべてのセルブロードキャストメッセージスロットを読み取ることと、
前のセルブロードキャストチャネルスロット以降、メッセージＩＤと更新数とが変化したかどうかを判断することと
を行うように実行可能な命令を備える、請求項１８に記載の装置。
【請求項２０】
前記前のセルブロードキャストメッセージスロット以降、前記メッセージＩＤと前記更新数とのうちの少なくとも１つが変化しており、前記メッセージＩＤに対する前記繰り返し数を増分することをさらに備える、請求項１９に記載の装置。
【請求項２１】
前記命令は、前記連続走査タイマーが満了したとき、前記メッセージＩＤと、セルＩＤと、前記繰り返し数と、最後のメッセージスロット番号と、計算された周期性とを記憶するようにさらに実行可能である、請求項２０に記載の装置。
【請求項２２】
前記メッセージＩＤと、前記セルＩＤと、前記繰り返し数と、最後のメッセージスロット番号と、前記計算された周期性とは、所望のメッセージが予想されるスロットを計算するために使用される、請求項２０に記載の装置。
【請求項２３】
セルブロードキャストメッセージを受信するように構成された装置であって、
繰り返し数と周期性とスロット番号とを取得するために、連続走査時間の間、セルブロードキャストチャネルを監視するための手段と、
前記セルブロードキャストチャネル中で所望のメッセージが予想されるスロットを計算するための手段と、
前記計算されたスロットのみにおいて前記セルブロードキャストチャネルを読み取るための手段と
を備える装置。
【請求項２４】
セルブロードキャストメッセージを受信するためのコンピュータプログラム製品であって、前記コンピュータプログラム製品が、命令をその上に有する非一時的コンピュータ可読媒体を備え、前記命令は、
繰り返し数と周期性とスロット番号とを取得するために、連続走査時間の間、セルブロードキャストチャネルを監視することをワイヤレスデバイスに行わせるためのコードと、
前記セルブロードキャストチャネル中で所望のメッセージが予想されるメッセージスロットを計算することを前記ワイヤレスデバイスに行わせるためのコードと、
前記計算されたメッセージスロットのみにおいて前記セルブロードキャストチャネルを読み取ることを前記ワイヤレスデバイスに行わせるためのコードと
を備える、コンピュータプログラム製品。
【請求項２５】
セルブロードキャストメッセージを受信するように構成されたワイヤレスデバイスであって、
繰り返し数と周期性と最後のスロット番号とを取得するために、連続走査時間の間、セルブロードキャストチャネルを監視するための手段と、
前記セルブロードキャストチャネル中で所望のメッセージが予想されるメッセージスロットを計算するための手段と、
前記計算されたメッセージスロットのみにおいて前記セルブロードキャストチャネルを読み取るための手段と
を備えるワイヤレスデバイス。